(57)【要約】【課題】一覧表示されるサムネイル画像の画像内容を、ユーザが確実に認識できるようにする。【解決手段】操作端末１０の制御回路１０２のＣＰＵは、カメラ１１１により撮影された、所望の視野の実画像データを取得し、取得した実画像データに対し文字認識処理を行い当該実画像データに含まれる文字列を抽出してテキストデータ化し、取得した実画像データと生成したテキストデータとを合成して合成画像データを生成し、タッチパネル１１２において所望の視野の画像中に文字列の仮想画像を重畳させ、保存指示受付手順で保存指示操作を受け付けたときに表示されていた所望の視野の画像の実画像データを、表示されていた文字列のテキストデータと関連づけて保存し、タッチパネル１１２の一覧表示画面において、保存された実画像データに係わるサムネイル画像ＳＮ１〜ＳＮ５中に、文字列の仮想画像を重畳させて表示する。【選択図】図８
2018054764.tif 000002
【特許請求の範囲】
【請求項１】
操作手段と撮像手段と表示手段と演算手段とを備えた携帯端末の前記演算手段に対し、
前記撮像手段により撮影された、所望の視野の実画像データを取得する実画像取得手順と、
前記実画像取得手順で取得した前記実画像データに対し文字認識処理を行い、当該実画像データに含まれる文字列を抽出してテキストデータ化する、テキストデータ化手順と、
前記実画像取得手順で取得した前記実画像データと前記テキストデータ化手順で生成したテキストデータとを合成して合成画像データを生成する合成画像生成手順と、
前記合成画像生成手順で生成された前記合成画像データを前記表示手段に出力し、当該表示手段において前記所望の視野の画像中に前記文字列の仮想画像を重畳させて表示する合成画像出力手順と、
前記合成画像出力手順で前記表示手段に前記所望の視野の画像と前記文字列の前記仮想画像とが表示されている状態で、前記操作手段を介した保存指示操作を受け付ける保存指示受付手順と、
前記保存指示受付手順で前記保存指示操作を受け付けたときに表示されていた前記所望の視野の画像の前記実画像データを、当該保存指示操作を受け付けたときに前記仮想画像が表示されていた前記文字列の前記テキストデータと関連づけて保存する保存手順と、
前記操作手段を介した適宜の一覧表示指示操作を契機に、前記表示手段の一覧表示画面において、前記保存手順で保存された前記実画像データに係わる前記所望の視野の画像を縮小した態様のサムネイル画像中に、前記実画像データに前記テキストデータが関連づけられた前記文字列の前記仮想画像を重畳させて表示する、一覧表示手順と、
を実行させるための画像表示処理プログラム。
【請求項２】
請求項１記載の画像表示処理プログラムにおいて、
前記一覧表示手順では、前記文字列の前記仮想画像は、
少なくとも前記サムネイル画像の半分の面積の領域から逸脱するフォントサイズとなるように拡大されて前記一覧表示画面に表示される
ことを特徴とする画像表示処理プログラム。
【請求項３】
請求項１又は請求項２記載の画像表示処理プログラムにおいて、
前記テキストデータ化手順における前記実画像データに対する文字認識処理により、複数の前記文字列が抽出されてそれぞれテキストデータ化された場合は、
前記合成画像生成手順では、
前記複数の文字列にそれぞれ対応した複数の前記テキストデータのうち少なくとも１つと前記実画像データとを合成した前記合成画像データが生成され、
前記合成画像出力手順では、
前記表示手段における前記所望の視野の画像中に、前記少なくとも１つのテキストデータに対応した前記文字列の前記仮想画像が重畳させて表示される
ことを特徴とする画像表示処理プログラム。
【請求項４】
請求項１乃至請求項３のいずれか１項記載の画像表示処理プログラムにおいて、
前記一覧表示手順では、
前記文字列の前記仮想画像は、前記サムネイル画像の中央部に表示される
ことを特徴とする画像表示処理プログラム。
【請求項５】
請求項１乃至請求項４のいずれか１項記載の画像表示処理プログラムにおいて、
前記演算手段に対し、さらに、
前記一覧表示手順で前記文字列の前記仮想画像が前記サムネイル画像に表示された状態で、前記操作手段を介し、特定の前記サムネイル画像に対応する拡大表示指示操作を受け付ける拡大表示受付手順と、
前記保存指示受付手順で前記保存指示操作を受け付けたとき、前記表示手段において、前記特定のサムネイル画像に対応した前記所望の視野の画像を当該特定のサムネイル画像よりも大きなサイズで表示すると共に、当該所望の視野の画像の端部又は端部近傍に、対応する前記文字列の仮想画像を重畳させて表示する、拡大画像表示手順と、
を実行させることを特徴とする画像表示処理プログラム。
【請求項６】
請求項１乃至請求項５のいずれか１項記載の画像表示処理プログラムにおいて、
前記保存手順では、
前記サムネイル画像に対し、対応する前記文字列が組みこまれたファイル名が付与され、
前記一覧表示手順では、
前記文字列が組みこまれたファイル名が前記サムネイル画像とともに表示される
ことを特徴とする画像表示処理プログラム。
【請求項７】
請求項１乃至請求項６のいずれか１項記載の画像表示処理プログラムにおいて、
前記保存手順では、
前記サムネイル画像に対し、対応する前記文字列が組みこまれたファイル属性が与えられる
ことを特徴とする画像表示処理プログラム。
【請求項８】
請求項１記載の画像表示処理プログラムにおいて、
前記携帯端末は、
貼り付け対象に貼り付ける印字ラベルを作成するラベル作成装置に対し、情報送受信可能に接続されており、
前記画像表示処理プログラムは、
前記演算手段に対し、さらに、
前記合成画像出力手順で前記表示手段に前記所望の視野の画像と前記文字列の前記仮想画像とが表示されている状態で、前記操作手段を介したラベル作成指示操作を受け付ける第１ラベル作成指示受付手順と、
前記第１ラベル作成指示受付手順で前記ラベル作成指示操作を受け付けたときに前記表示手段に前記仮想画像が表示されていた前記文字列の前記テキストデータを含む印刷指令を、前記ラベル作成装置へ出力する第１印刷指令出力手順と、
を実行する
ことを特徴とする画像表示処理プログラム。
【請求項９】
請求項３記載の画像表示処理プログラムにおいて、
前記携帯端末は、
貼り付け対象に貼り付ける印字ラベルを作成するラベル作成装置に対し、情報送受信可能に接続されており、
前記画像表示処理プログラムは、
前記演算手段に対し、さらに、
前記合成画像出力手順で前記表示手段に前記所望の視野の画像と前記少なくとも１つのテキストデータに対応した前記文字列の前記仮想画像とが表示されている状態で、前記操作手段を介したラベル作成指示操作を受け付ける第２ラベル作成指示受付手順と、
前記第２ラベル作成指示受付手順で前記ラベル作成指示操作を受け付けたときに前記テキストデータ化手順で前記テキストデータ化されていた、前記複数の文字列全てについてそれぞれの前記テキストデータを含む印刷指令を、前記ラベル作成装置へ出力する第２印刷指令出力手順と、
を実行する
ことを特徴とする画像表示処理プログラム。
【発明の詳細な説明】
【技術分野】
【０００１】
本発明は、撮像した画像をサムネイル表示する、画像表示処理プログラムに関する。
【背景技術】
【０００２】
撮像手段（撮像センサ部）により撮影された画像データのファイルをサムネイル化し、１つの画面中に一覧表示する技術が、既に知られている（例えば、特許文献１参照）。この従来技術では、１画面あたり６ファイルのサムネイルが一覧表示されるようになっている。
【先行技術文献】
【特許文献】
【０００３】
【特許文献１】特開２０１５−１９５５７１号公報（図８、段落０１２０）
【発明の概要】
【発明が解決しようとする課題】
【０００４】
しかしながら、上記従来技術のように複数のサムネイル画像を１つの画面中に一覧表示する場合に、サムネイル画像のみでは大きさが小さすぎ、ユーザが画像内容を識別するのが困難な場合があった。
【０００５】
本発明の目的は、一覧表示されるサムネイル画像の画像内容をユーザが確実に認識することができる、画像表示処理プログラムを提供することにある。
【課題を解決するための手段】
【０００６】
上記目的を達成するために、本願発明は、操作手段と撮像手段と表示手段と演算手段とを備えた携帯端末の前記演算手段に対し、前記撮像手段により撮影された、所望の視野の実画像データを取得する実画像取得手順と、前記実画像取得手順で取得した前記実画像データに対し文字認識処理を行い、当該実画像データに含まれる文字列を抽出してテキストデータ化する、テキストデータ化手順と、前記実画像取得手順で取得した前記実画像データと前記テキストデータ化手順で生成したテキストデータとを合成して合成画像データを生成する合成画像生成手順と、前記合成画像生成手順で生成された前記合成画像データを前記表示手段に出力し、当該表示手段において前記所望の視野の画像中に前記文字列の仮想画像を重畳させて表示する合成画像出力手順と、前記合成画像出力手順で前記表示手段に前記所望の視野の画像と前記文字列の前記仮想画像とが表示されている状態で、前記操作手段を介した保存指示操作を受け付ける保存指示受付手順と、前記保存指示受付手順で前記保存指示操作を受け付けたときに表示されていた前記所望の視野の画像の前記実画像データを、当該保存指示操作を受け付けたときに前記仮想画像が表示されていた前記文字列の前記テキストデータと関連づけて保存する保存手順と、前記操作手段を介した適宜の一覧表示指示操作を契機に、前記表示手段の一覧表示画面において、前記保存手順で保存された前記実画像データに係わる前記所望の視野の画像を縮小した態様のサムネイル画像中に、前記実画像データに前記テキストデータが関連づけられた前記文字列の前記仮想画像を重畳させて表示する、一覧表示手順と、を実行させる。
【０００７】
本願発明に係わる携帯端末は、撮像手段と表示手段とを備え、撮像した画像を画像データ化して保存する。本願発明では、その保存の際に、テキストデータを関連づけて保存することができる。
【０００８】
すなわち、本願発明の画像表示処理プログラムが演算手段で実行されると、撮像手段が撮影した所望の視野の実画像データが取得される（実画像取得手順）。その際、その取得された実画像データに対し適宜の公知の手法で文字認識処理が行われ、その実画像データに含まれる文字列が抽出される。
【０００９】
上記のようにして抽出された文字列は、テキストデータ化される（テキストデータ化手順）。そして、上記取得された実画像データと上記テキストデータとが合成されることで合成画像データが生成されて（合成画像生成手順）、表示手段に出力される（合成画像出力手順）。これにより、表示手段において上記所望の視野の画像（以下適宜、「視野画像」）が表示されるとともに、その視野画像中に、上記文字列（すなわち視野画像中から自動的に抽出された文字列。正確には文字列の仮想画像。以下同様）が重ねて表示される。
【００１０】
このとき、ユーザが携帯端末を手に持って動かす等によって撮影視野が変わると、上記視野画像も変わるので、上記重ねて表示される文字列も変わる（なお、実画像データに文字列が含まれない場合は、文字列は表示されず視野画像のみが表示される）。例えばユーザは、画像の性質を最もよく表していると思われる文字列が表示された状態で、操作手段を用いて適宜の保存指示操作を行う。するとその操作が受け付けられ（保存指示受付手順）、受け付け時に表示されていた上記視野画像の実画像データが、受け付け時に表示されていた上記文字列のテキストデータと関連づけられて、保存される（保存手順）。
【００１１】
以上の操作をユーザが繰り返すことにより、所望の視野画像を、対応する文字列と関連づけて次々に保存することができる。
【００１２】
そして、その後ユーザが操作手段を用いて適宜の一覧表示指示操作を行うと、表示手段において、上記のようにして保存した実画像データに対応するサムネイル画像が表示されると共に、そのサムネイル画像中に、当該実画像データに関連づけられた文字列が重畳して表示される。このように、サムネイル画像のみならず、そのサムネイルの内容に対応した（視野画像の撮影時に抽出されて表示されていた）文字列も重ねて表示されることにより、ユーザは、サムネイル画像のみでは大きさが小さすぎて画像内容の識別が困難な場合であっても、文字列によって確実に画像内容を認識することができる。この結果、ユーザは、小さいサムネイル画像が複数個一覧表示される場合であっても、自分が見たい画像へ容易にアクセスし、拡大表示することができる。また、例えば画像をプリントアウトしようとするときに、上記文字列を手がかりに、ユーザが撮影当時の状況をより明確に思い出すことができる。以上の結果、ユーザにとっての利便性を向上することができる。
【発明の効果】
【００１３】
本発明によれば、一覧表示されるサムネイル画像の画像内容をユーザが確実に認識することができる。
【図面の簡単な説明】
【００１４】
【図１】本発明の一実施形態の画像表示処理プログラムを実行する操作端末の外観を表す正面図、及び、右側面図である。
【図２】ラベル作成装置の外観を表す正面図である。
【図３】操作端末の機能的構成を表す機能ブロック図である。
【図４】ラベル作成装置の機能的構成を表す機能ブロック図である。
【図５】撮影した所定の視野の画像が表示された画面で文字認識処理が行われる挙動を説明する説明図である。
【図６】視野画像に重畳して文字列の仮想画像を表示した例を表す図である。
【図７】視野画像に重畳して文字列の仮想画像を表示した例を表す図である。
【図８】各サムネイル画像に文字列の仮想画像を重畳させて表示した、一覧表示画面の一例を表す図である。
【図９】サムネイル画像のファイル名に文字列を組み込む変形例を表す図である。
【図１０】サムネイル画像に対応する視野画像を拡大して表示した一例を表す図である。
【図１１】視野画像をプリントアウトした一例を表す図である。
【図１２】視野画像中に文字列の仮想画像を重畳させて表示した状態から、抽出された全ての文字列を印字形成した印字ラベルが作成されることを説明する説明図である。
【図１３】プリントアウトした視野画像の印刷物に、文字列を印字形成した印字ラベルを貼り付けた一例を表す図である。
【図１４】操作端末のＣＰＵが実行する制御手順を表すフローである。
【図１５】ラベル作成装置のＣＰＵが実行する制御手順を表すフローである。
【図１６】社員証ラベルを作成する変形例における印字ラベル作成装置の機能的構成を表す機能ブロック図である。
【図１７】社員がボードを掲げて撮影されている状態を説明する説明図である。
【図１８】撮影した所定の視野の画像が表示された画面で文字認識処理が行われる挙動を説明する説明図である。
【図１９】各サムネイル画像に文字列の仮想画像を重畳させて表示した、一覧表示画面の一例を表す図である。
【図２０】社員証ラベル作成時に構築されるデータベースの一例を表す説明図である。
【図２１】社員証ラベル作成時に用いられるテンプレートの一例を表す説明図である。
【図２２】社員証ラベルの作成例を表す説明図である。
【図２３】ラベル作成装置のＣＰＵが実行する制御手順を表すフローチャートである。
【発明を実施するための形態】
【００１５】
以下、本発明の一実施の形態を図面を参照しつつ説明する。本実施形態は、操作端末により撮像した画像のサムネイルを画面中に一覧表示することができ、またそのサムネイル画像に基づき、印字ラベルを作成することもできる（詳細は後述）。
【００１６】
本実施形態に係わる操作端末１０を図１（ａ）及び図１（ｂ）に示す。これら図１（ａ）及び図１（ｂ）において、操作端末１０（携帯端末）は、装置本体１２と、カメラ１１１（撮像手段）とを有する。
【００１７】
装置本体１２は、例えば液晶ディスプレイを備えたパネルにより各種情報や各種メッセージを表示し、かつユーザ（操作者）が各種操作を行えるタッチパネル１１２と、ユーザが操作可能な操作ボタン１１０とを備えている。
【００１８】
カメラ１１１は、装置本体１２の上部（図１（ａ）及び図１（ｂ）中の上部）に設けられており、装置本体１２においてタッチパネル１１２の表示面が設けられた面の反対側、すなわち下面側（図１（ａ）中の紙面奥面側、図１（ｂ）中の右面側）に、レンズ１１１Ａを備えている。例えば、ユーザが、操作ボタン１１０等を用いた適宜の操作でタッチパネル１１２に適宜のアイコン等を表示させ、指で当該アイコンを押すことによりカメラ１１１が起動し、対象物を撮影することができる。なお、タッチパネル１１２の表示機能が、各請求項記載の表示手段に相当し、上記操作ボタン１１０及びタッチパネル１１２の操作機能が、各請求項記載の操作手段に相当している（以下適宜、「操作部１１０等」と称する）。
【００１９】
上記印字ラベルを作成するラベル作成装置２０を図２に示す。図２において、ラベル作成装置２０は、装置本体２２を有している。装置本体２２は、例えば液晶ディスプレイからなり各種情報や各種メッセージを表示する表示部２１２と、ユーザが各種操作を可能な操作部２１０と、装置本体２２内に配設されたカッタ２０７（後述の図４参照）を駆動するためのカットレバー２１３とを備えている。
【００２０】
操作部２１０には、文字、記号、及び数字等を入力するための入力キーを初めとする種々の機能キー２１０ａ等が含まれている。
【００２１】
上記操作端末１０の機能的構成を図３に示す。図３において、操作端末１０は、通信制御部１０８と、制御回路１０２と、各種情報を記憶するメモリ１０６と、上記操作ボタン１１０と、上記カメラ１１１と、上記タッチパネル１１２とを有する。
【００２２】
通信制御部１０８は、無線を介して接続されたラベル作成装置２０との間で行われる、情報通信の制御を行う。
【００２３】
制御回路１０２は、図示しないＣＰＵ（演算手段）、ＲＡＭ、及びＲＯＭを備えている。この制御回路１０２は、ＣＰＵの演算機能により、ＲＡＭの一時記憶機能を利用しつつ、ＲＯＭに予め記憶された各種プログラムを実行する。この各種プログラムには、後述する図１４のフローを実行するための本発明の画像表示処理プログラムが含まれている。また、制御回路１０２は、通信制御部１０８を介し、無線通信によりラベル作成装置２０と接続されており、ラベル作成装置２０と各種情報やデータの送受が可能となっている。
【００２４】
メモリ１０６は、記憶内容の追加及び消去が可能な、例えばＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ）等の不揮発性メモリから構成されている。このメモリ１０６には、上記画像表示処理プログラムを含む上記各種プログラムが記憶されている。
【００２５】
上記ラベル作成装置２０の機能的構成を図４に示す。図４において、ラベル作成装置２０は、通信制御部２０８と、制御回路２０２と、各種情報を記憶するメモリ２０６と、上記操作部２１０と、上記表示部２１２と、上記カットレバー２１３と、カートリッジホルダ２１６と、搬送装置２０９と、印字ヘッド２０５と、カッタ２０７とを有する。
【００２６】
通信制御部２０８は、上記のように無線を介して接続された操作端末１０との間で行われる、情報通信の制御を行う。
【００２７】
制御回路２０２は、図示しないＣＰＵ、ＲＡＭ、及びＲＯＭを備えている。この制御回路２０２は、ＲＡＭの一時記憶機能を利用しつつ、ＲＯＭに予め記憶された各種プログラムを実行する。これにより、制御回路２０２は、ラベル作成装置２０全体の制御を行う。また、制御回路２０２は、通信制御部２０８を介して操作端末１０と接続されており、操作端末１０とデータの送受が可能となっている。
【００２８】
メモリ２０６は、記憶内容の追加及び消去が可能な、例えばＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ）等の不揮発性メモリから構成されている。このメモリ２０６には、操作端末１０から送信された印字データを格納可能となっている。
【００２９】
カートリッジホルダ２１６は、テープ２０３を供給可能なカートリッジ２０１を着脱可能に構成されている。カートリッジ２０１は、テープ２０３を図示しないリール部材の周りに巻回したテープロール２０４（本来は渦巻き状であるが簡略化して同心円で図示している）を備えている。
【００３０】
搬送装置２０９は、印字ヘッド２０５に対向して設けられている。この搬送装置２０９は、制御回路２０２により制御されて、カートリッジホルダ２１６に装着したカートリッジ２０１から供給される、すなわち当該カートリッジ２０１のテープロール２０４から繰り出される、テープ２０３を搬送する。
【００３１】
印字ヘッド２０５は、制御回路２０２により制御されて、テープロール２０４から繰り出され搬送装置２０９により搬送されるテープ２０３に対し所望の印字を行う。
【００３２】
カッタ２０７は、ユーザによりカットレバー２１３が操作されることで、印字ヘッド２０５による印字が終了したテープ２０３を所定の長さに切断して印字付きの１つの印字ラベルＬ（後述する図１２（ｂ）参照）とする。
【００３３】
＜実施形態の特徴＞
以上の基本構成において、本実施形態の最大の特徴は、カメラ１１１の撮像によりタッチパネル１１２に表示された所望の視野の画像の中から自動的に文字列を抽出し、当該画像のサムネイルに対しその抽出した文字列を追加して表記することである。以下、図５〜図１３に基づき、その詳細を順を追って説明する。
【００３４】
＜視野画像の表示＞
図５に、ユーザがカメラ１１１を起動し対象物を撮影することによって、上記視野画像がタッチパネル１１２に表示されている例を示す。
【００３５】
この例では、図５に示すように、上記タッチパネル１１２中に表示された視野画像中に、「高山城跡４５ｋｍ」の標識Ｍ１、「下呂公園１５ｋｍ」の標識Ｍ２、「郡上ダム５ｋｍ」の標識Ｍ３が取り付けられたポールＰＯと、「○×レンタカー（株）」の広告Ｍ４をドアに付した車両Ｋと、が表示されている。なお、タッチパネル１１２内の右下の「ラベル印刷」ボタンＰＢについては後述する。
【００３６】
＜文字列の抽出及び表示＞
このような視野画像の表示状態で、本実施形態では、画像に対して適宜の公知の手法で文字認識処理が行われ、画像中に含まれる文字列（この例では、標識Ｍ１の「高山城跡４５ｋｍ」、標識Ｍ２の「下呂公園１５ｋｍ」、標識Ｍ３の「郡上ダム５ｋｍ」、広告Ｍ４の「○×レンタカー（株）」の４つの文字列）が抽出される。
【００３７】
その後、上記のようにして抽出された文字列の仮想画像ＴＸが、図６（ａ）、図６（ｂ）、図７（ａ）、図７（ｂ）に示すように、上記視野画像中に重ねて表示される。仮想画像ＴＸは、例えば背景となる上記視野画像から浮かび上がるような態様で表示しても良いし、背景に対し目立つような明るい色により表示してもよい。
【００３８】
また、上記４つの文字列（正確には文字列を仮想的に表記した仮想画像。以下同様）「高山城跡４５ｋｍ」「下呂公園１５ｋｍ」「郡上ダム５ｋｍ」「○×レンタカー（株）」の仮想画像ＴＸは、この例では、タッチパネル１１２に１つずつ順番に、「高山城跡４５ｋｍ」（図６（ａ）参照）→「下呂公園１５ｋｍ」（図６（ｂ）参照）→「郡上ダム５ｋｍ」（図７（ａ）参照）→「○×レンタカー（株）」（図７（ｂ）参照）→「高山城跡４５ｋｍ」（図６（ａ）参照）→・・のように、一定時間ごとに切り替わって表示される。なお、１つずつ切り替えられるのではなく、各画面中に複数の仮想画像ＴＸが存在していても良い。但し、それら全部をタッチパネル１１２に同時に表示してもよい。また、各文字列仮想画像ＴＸをタッチパネル１１２において上下や左右に流れるように移動させて表示し、その際操作部１１０等を介した適宜の操作により移動停止できるようにしてもよい。あるいは、最初に４つの文字列「高山城跡４５ｋｍ」「下呂公園１５ｋｍ」「郡上ダム５ｋｍ」「○×レンタカー（株）」の仮想画像ＴＸ全部を表示した後、上記適宜の操作を介して選択されたもののみを残してタッチパネル１１２に表示するようにしてもよい。また、以上の異なる表示態様を交互に（又は順番に）繰り返すようにしてもよい。
【００３９】
なお、ユーザが操作端末１０を手に持って動かす等によって撮影視野が変わると、上記視野画像も変わるので、上記重ねて表示される文字列仮想画像も変わる。なお、視野画像に文字列が含まれない場合は、文字列仮想画像は表示されずもともとの視野画像のみが表示される。
【００４０】
＜画像の保存＞
前述のようにして、タッチパネル１１２上に、順番に、「高山城跡４５ｋｍ」（図６（ａ））→「下呂公園１５ｋｍ」（図６（ｂ））→「郡上ダム５ｋｍ」（図７（ａ））→「○×レンタカー（株）」（図７（ｂ））→・・のように、切り替わって表示されているときに、例えば、ユーザは、視野画像の性質を最もよく表していると思われる文字列仮想画像ＴＸが表示された状態で、操作部１１０等により適宜の保存指示操作を行う。すると、そのときに表示されていた上記視野画像が、表示されていた文字列（正確には文字列のテキストデータ。後述）と関連づけられて、保存される。このようにして、ユーザは、自分が撮影した所望の視野画像を、対応する文字列と関連づけて次々に保存することができる。
【００４１】
＜サムネイル画像の一覧表示＞
そして、その後ユーザが操作部１１０等により適宜の一覧表示指示操作を行うと、図８に示すように、タッチパネル１１２において、上記のようにして保存した視野画像に対応するサムネイル画像ＳＮ１〜ＳＮ５が表示される。その際、各サムネイル画像ＳＮ１〜ＳＮ５中には、前述のようにして各サムネイル画像にそれぞれ関連づけられた文字列が、重畳して表示される。
【００４２】
例えば図８に示す例では、サムネイル画像ＳＮ１（ファイル名は「Ｉｍａｇｅ００１．ｊｐｇ」）ではその中央部に、上記「下呂公園１５ｋｍ」の文字列（正確には文字列の仮想画像。以下同様）が重畳して表示される（すなわち、この例では、前述の「高山城跡４５ｋｍ」→「下呂公園１５ｋｍ」→「郡上ダム５ｋｍ」→「○×レンタカー（株）」の切り替わりにおいて、「下呂公園１５ｋｍ」が表示されているときに、上記保存指示操作が行われた場合の例である）。
【００４３】
上記同様、例えばミュージシャンのコンサート風景を含む上記視野画像に対応したサムネイル画像ＳＮ２（ファイル名は「Ｉｍａｇｅ００２．ｊｐｇ」）では、その略中央部に、「Ｐｅａｒｌ」の文字列（この例では図示しない楽器等に記載されている楽器メーカ名）が重畳して表示されている。
【００４４】
また、例えば自家用車の側面を含む上記視野画像に対応したサムネイル画像ＳＮ３（ファイル名は「Ｉｍａｇｅ００３．ｊｐｇ」）では、その略中央部に、「ｓｔｏｎｅ  ｂｒｉｄｇｅ」の文字列（この例ではタイヤに付記されている商標）が重畳して表示されている。
【００４５】
また、例えばマラソン競技大会の光景を含む上記視野画像に対応したサムネイル画像ＳＮ４（ファイル名は「Ｉｍａｇｅ００４．ｊｐｇ」）では、その略中央部に、「給水地点」の文字列（この例では競技コースの沿道の標識に記載）が重畳して表示されている。
【００４６】
また、例えばおもちゃ売り場の光景を含む上記視野画像に対応したサムネイル画像ＳＮ５（ファイル名は「Ｉｍａｇｅ００５．ｊｐｇ」）では、その略中央部に、「ヒトミちゃん人形」の文字列（この例では当該人形の値札等に記載）が重畳して表示される。
【００４７】
このとき、この例では、上記サムネイル画像ＳＮ１〜ＳＮ５のうち、サムネイル画像ＳＮ１の「下呂公園１５ｋｍ」の文字列、サムネイル画像ＳＮ３の「ｓｔｏｎｅ  ｂｒｉｄｇｅ」の文字列、サムネイル画像ＳＮ５の「ヒトミちゃん人形」の文字列は、対応する各サムネイル画像ＳＮ１、ＳＮ３，ＳＮ５の半分の面積の領域から逸脱するフォントサイズとなるようにして、表示されている。
【００４８】
なお、上記に加えてさらに、図９に示すように、各サムネイル画像に含まれる文字列を、対応するファイル名に組み込むようにしても良い。すなわち、図９に示す例では、サムネイル画像ＳＮ１のファイル名ｆ１は、上記「下呂公園１５ｋｍ」の文字列を反映させた「Ｇｅｒｏｋｏｕｅｎ１５ｋｍ．ｊｐｇ」となっている。
【００４９】
同様に、サムネイル画像ＳＮ２のファイル名ｆ２は、上記「Ｐｅａｒｌ」の文字列を反映させた「Ｐｅａｒｌ．ｊｐｇ」となっている。またサムネイル画像ＳＮ３のファイル名ｆ３は、上記「ｓｔｏｎｅ  ｂｒｉｄｇｅ」の文字列を反映させた「ｓｔｏｎｅｂｒｉｄｇｅ．ｊｐｇ」となっている。またサムネイル画像ＳＮ４のファイル名ｆ４は、上記「給水地点」の文字列を反映させた「Ｋｙｕｓｕｉｃｈｉｔｅｎ．ｊｐｇ」となっている。またサムネイル画像ＳＮ５のファイル名ｆ５は、上記「ヒトミちゃん人形」を反映させた「Ｈｉｔｏｍｉｃｈａｎｎｉｎｇｙｏ．ｊｐｇ」となっている。
【００５０】
これらの場合、サムネイル画像ＳＮ１〜ＳＮ５を、ファイル名ｆ１〜ｆ５に組み込まれた文字列を用いて検索することができる。したがって、検索及びその後のアクセスが容易になり、利便性を向上することができる。
【００５１】
なお、上記のようにサムネイル画像のファイル名に、対応する文字列を組み込むのに代え（あるいはそれに加え）、ファイルの属性に対し、対応する文字列を組みこむようにしてもよい（図示省略）。この場合は、サムネイル画像ＳＮ１〜ＳＮ５を、ファイル属性に組み込まれた文字列を用いて検索することができる。したがって、検索及びその後のアクセスが容易になり、利便性を向上することができる。
【００５２】
＜サムネイル画像から拡大して視野画像表示＞
その後、上記タッチパネル１１２上の上記一覧表示画面で表示されているサムネイル画像ＳＮ１〜ＳＮ５に対し、ユーザが操作部１１０等により適宜の拡大表示指示操作を行うと、対応する拡大画像がタッチパネル１１２上に表示される。図１０に、前述のサムネイル画像ＳＮ１（「下呂公園１５ｋｍ」の文字列を含む）に対し上記拡大表示指示操作を行ったときの表示を表す。この場合、図１０に示すように、上記の拡大表示指示操作に対応して、（上記サムネイル画像ＳＮ１から拡大するように）視野画像１１２Ａが表示されると共に、その視野画像１１２Ａの端部又は端部近傍（この例では右上端部）に、併せて対応する文字列（この場合、上記「下呂公園１５ｋｍ」の文字列）の仮想画像ＢＬが重畳して表示される。
【００５３】
そして、上記図１０のような文字列の仮想画像ＢＬ付きの上記視野画像１１２Ａが表示された状態で、例えば上記操作部１１０等を介し適宜のプリンタによる画像印刷指示を行うことにより、当該視野画像１１２Ａを被印刷用紙に印刷（プリントアウト）することができる。この場合、図１１に示すように、上記視野画像の印刷物Ｐには、上記「下呂公園１５ｋｍ」の文字列の仮想画像ＢＬも組み込まれたままで印刷される。
【００５４】
＜印字ラベルの作成＞
また、本実施形態の別の特徴として、図６（ａ）、図６（ｂ）、図７（ａ）、図７（ｂ）を用いて前述したように文字列の仮想画像ＴＸが視野画像中に重ねて表示されている状態からの操作で、対応する文字列の印字ラベルを作成することができる。
【００５５】
すなわち例えば、図７（ａ）に相当する図１２（ａ）に示すように、上記「郡上ダム５ｋｍ」の文字列の仮想画像ＴＸが上記視野画像に重畳して表示されている状態で、ユーザが、右下の「ラベル印刷」ボタンＰＢを操作する（ラベル作成指示操作に相当）。すると、図１２（ｂ）に示すように、この時点で仮想画像ＴＸとして表示されている文字列「郡上ダム５ｋｍ」のみならず、この時点で仮想画像ＴＸが非表示である他の文字列（すなわち「高山城跡４５ｋｍ」「下呂公園１５ｋｍ」「○×レンタカー（株）」）も含めた、合計４つすべての文字列「郡上ダム５ｋｍ」「高山城跡４５ｋｍ」「下呂公園１５ｋｍ」「○×レンタカー（株）」をそれぞれ印字ＲＲとして形成した４つの印字ラベルＬが印刷される。
【００５６】
これにより、図１３（ａ）に示すように、例えば上記４つのうち「○×レンタカー（株）」の印字ラベルＬを、上記図１１に示した印刷物Ｐに貼り付けて用いることができる。この場合、ユーザが撮影当時の状況をより明確に思い出し、長く覚えておくことができる（プリントアウト時に当時の状況を忘れている場合を含む）。
【００５７】
＜制御内容＞
以上の手法を実現するために、上記本発明の画像表示処理プログラムに基づき、操作端末１０の制御回路１０２の上記ＣＰＵが実行する制御内容を図１４を用いて説明する。
【００５８】
図１４において、まずステップＳ１１０で、上記ＣＰＵは、操作端末１０のモードを「撮影モード」に切り替える。この撮影モードとは、当該モードを解除する操作が行われるまでの間（後述のステップＳ１２０参照）、上記図５〜図７に示したような実画像の取得及び文字列の重畳表示を周期的に繰り返すモードである（後述のステップＳ１３０〜ステップＳ１６０参照）。
【００５９】
その後、ステップＳ１２０で、上記ＣＰＵは、操作部１１０等を介した適宜の操作により、上記撮影モードが解除されたか否かを判定する。撮影モードの解除操作があった場合には判定が満たされ（ステップＳ１２０：ＹＥＳ）、後述のステップＳ２２０へ移り、撮影モードの解除操作がない間は判定が満たされず（ステップＳ１２０：ＮＯ）、ステップＳ１３０に移行する。
【００６０】
ステップＳ１３０では、上記ＣＰＵは、カメラ１１１が撮影した所望の視野の実画像データを取得する。なお、このステップＳ１３０が各請求項記載の実画像取得手順に相当する。
【００６１】
ステップＳ１４０で、上記ＣＰＵは、上記ステップＳ１３０で取得した上記実画像データに対し適宜の公知の手法で文字認識処理を行い、その実画像データに含まれる文字列（上記図５の例では、「高山城跡４５ｋｍ」「下呂公園１５ｋｍ」「郡上ダム５ｋｍ」「○×レンタカー（株）」の各文字列）を抽出する。なお、この文字認識処理は、例えばある周期（既定時間内に１回）で行えばよい。また、取得後に一定時間がたつとその取得された文字列を破棄し、次のタイミングで取得された文字列によって上書きするようにしてもよい。そしてＣＰＵは、抽出した文字列をテキストデータ化する。なお、このステップＳ１４０が各請求項記載のテキストデータ化手順に相当する）。
【００６２】
その後、ステップＳ１５０で、上記ＣＰＵは、上記ステップＳ１３０で取得した実画像データと上記ステップＳ１４０で生成したテキストデータとを合成して合成画像データを生成する。なお、このステップＳ１５０が各請求項記載の合成画像生成手順に相当する。
【００６３】
その後、ステップＳ１６０で、上記ＣＰＵは、タッチパネル１１２に表示制御信号を出力し、上記ステップＳ１５０で生成した合成画像データをタッチパネル１１２に出力する。このステップＳ１６０が各請求項記載の合成画像出力手順に相当する。これにより、タッチパネル１１２において上記視野画像が表示されるとともに、その視野画像中に、上記文字列の仮想画像ＴＸが重ねて表示される。
【００６４】
その後、ステップＳ１７０で、上記ＣＰＵは、操作部１１０等を介し前述の保存指示操作が行われたか否かを判定する。なお、このステップＳ１７０が各請求項記載の保存指示受付手順に相当する。ユーザにより保存指示操作が行なわれなかった場合には、判定が満たされず（ステップＳ１７０：ＮＯ）、後述のステップＳ１８０に移行する。ユーザにより保存指示操作が行なわれたならば、判定が満たされて（ステップＳ１７０：ＹＥＳ）、ステップＳ２８０に移行する。
【００６５】
ステップＳ２８０では、上記ＣＰＵは、上記ステップＳ１７０で、この時点で（すなわちユーザによる保存指示操作が行なわれた時に）表示されている上記視野画像の実画像データを、この時点で（保存指示操作時に）表示されていた上記文字列の仮想画像ＴＸのテキストデータと関連づけて（例えば上記メモリ１０６に）保存する。なお、このステップＳ２８０が各請求項記載の保存手順に相当する。なお、この際、テキストデータが上記実画像データ中に取り込まれるようにしてもよいし、それ以外の手法でテキストデータと上記実画像データとが関連づけられていても良い。その後、後述のステップＳ１８０に移る。
【００６６】
前述したステップＳ１７０でユーザによる保存指示操作が行われずに移行（あるいは上記ステップＳ２８０から移行）したステップＳ１８０では、上記ＣＰＵは、ラベル作成装置２０へのラベル作成指示の操作（前述の例では「ラベル印刷」ボタンＰＢの押下）があったか否かを判定する。ラベル作成指示操作が行なわれなかった場合には、判定が満たされず（ステップＳ１８０：ＮＯ）、上記ステップＳ１２０に戻って同様の手順を繰り返す。
【００６７】
上記ステップＳ１８０においてラベル作成指示操作が行なわれた場合には、判定が満たされて（ステップＳ１８０：ＹＥＳ）、ステップＳ１９０に移行する。なお、このステップＳ１８０が各請求項記載の第１、第２ラベル作成指示受付手順に相当する。
【００６８】
ステップＳ１９０では、上記ＣＰＵは、ラベル作成装置２０に対し、直近のステップＳ１６０で視野画像中に仮想画像ＴＸが重畳して表示されていたすべての文字列（前述の例では「郡上ダム５ｋｍ」「高山城跡４５ｋｍ」「下呂公園１５ｋｍ」「○×レンタカー（株）」）のテキストデータをそれぞれ含むラベル作成指令を出力し、このフローを終了する。これにより、ラベル作成装置２０において、上記ラベル作成指令に対応した文字列「郡上ダム５ｋｍ」「高山城跡４５ｋｍ」「下呂公園１５ｋｍ」「○×レンタカー（株）」がそれぞれ印字ＲＲとして形成された、４つの印字ラベルＬが印刷される（上記図１２（ｂ）参照）。なお、このステップＳ１９０が各請求項記載の第１、第２印刷指令出力手順に相当する。その後、このフローを終了する。
【００６９】
一方、上記ステップＳ１２０での判定が満たされずに移行したステップＳ２２０では、上記ＣＰＵは、ユーザにより、上記操作部１１０等を介した上記一覧表示指示操作があった否かを判定する。一覧表示指示操作がなければ、判定が満たされず（ステップＳ２２０：ＮＯ）、上記ステップＳ１３０に戻り、以降は前述と同様の手順を繰り返す。ユーザによる一覧表示指示の操作が行なわれた場合、判定が満たされて（ステップＳ２２０：ＹＥＳ）、ステップＳ２３０に移行する。
【００７０】
ステップＳ２３０では、上記ＣＰＵは、タッチパネル１１２に表示制御信号を出力し、タッチパネル１１２において、上記のようにして保存した実画像データに対応するサムネイル画像（上記の例では上記図８、図９中のサムネイル画像ＳＮ１〜ＳＮ５で示す）を一覧表示する。その際、各サムネイル画像ＳＮ１〜ＳＮ５中に、上記実画像データにそれぞれ関連づけられた文字列（上記した例では「下呂公園」「ｐｅａｒｌ」「ｓｔｏｎｅｂｒｉｄｇｅ」「給水地点」「ヒトミちゃん人形」）が重畳して表示される。すなわち、サムネイル画像ＳＮ１〜ＳＮ５のみならず、そのサムネイルの内容に対応した、視野画像の撮影時に抽出されて表示されていた文字列も重ねて表示される。その後、ステップＳ２４０に移行する。なお、このステップＳ２３０が各請求項記載の一覧表示手順に相当する。
【００７１】
ステップＳ２４０では、上記ＣＰＵは、ユーザにより、上記操作部１１０等を介し、上記拡大表示指示操作があったか否かを判定する。ユーザによる拡大表示指示の操作がなければ、判定が満たされず（ステップＳ２４０：ＮＯ）、後述のステップＳ２６０に移行する。ユーザによる拡大表示指示の操作が行なわれた場合は判定が満たされて（ステップＳ２４０：ＹＥＳ）、ステップＳ２５０に移行する。なお、このステップＳ２４０が各請求項記載の拡大表示受付手順に相当する。
【００７２】
ステップＳ２５０では、上記ＣＰＵは、タッチパネル１１２に表示制御信号を出力し、上記ステップＳ２４０で拡大表示指示されたサムネイル画像ＳＮ１〜ＳＮ５に対応する上記視野画像をタッチパネル１１２において表示する（言い替えればサムネイル画像を拡大表示する）。なお、このステップＳ２５０が各請求項記載の拡大画像表示手順に相当する。
【００７３】
ステップＳ２６０では、上記ＣＰＵは、ユーザにより、上記操作部１１０等を介し、上記画像印刷指示の操作があったか否かを判定する。ユーザによる画像印刷指示操作がなければ、判定が満たされず（ステップＳ２６０：ＮＯ）、上記ステップＳ１２０に戻って同様の手順を繰り返す。ユーザによる印刷指示の操作が行なわれた場合は、判定が満たされて（ステップＳ２６０：ＹＥＳ）、ステップＳ２７０に移行する。
【００７４】
ステップＳ２７０では、上記ＣＰＵは、上記ステップＳ２５０で表示した視野画像を印刷するための印刷指令を、図示しない適宜のプリンタに出力する。これにより、例えば、前述の図１１に示したように、対応する文字列（この例では「下呂公園１５ｋｍ」）の仮想画像ＢＬが組み込まれた、視野画像の印刷物Ｐが印刷される。その後、このフローを終了する。
【００７５】
次に、上記印刷指令に対応して上記ラベル作成装置２０の制御回路２０２の上記ＣＰＵにより実行される、印字ラベルＬの作成手順について図１５を用いて説明する。
【００７６】
図１５において、まずステップＳ１０で、上記ＣＰＵは、搬送装置２０９に制御信号を出力し、カートリッジホルダ２１６に装着されたカートリッジ２０１のテープロール２０４からのテープ２０３の繰り出し、すなわちテープ２０３の搬送を開始させる。
【００７７】
そして、ステップＳ２０に移り、上記ＣＰＵは、テープ２０３が所定量だけ搬送されたかどうかを判定する。なお、この所定量とは、例えば、テープ２０３の図示しない印字領域の先端が、印字ヘッド２０５とほぼ対向する位置に到達するだけの搬送距離（いわゆる前余白用の搬送量）である。所定量搬送されるまでステップＳ２０の判定が満たされず（Ｓ２０：Ｎｏ）、ループ待機し、所定量搬送されたらステップＳ２０の判定が満たされて（Ｓ２０：Ｙｅｓ）、ステップＳ３０に移る。
【００７８】
ステップＳ３０では、上記ＣＰＵは、印字ヘッド２０５に制御信号を出力し、搬送装置２０９により搬送されるテープ２０３の印字領域に対し、上記図１４のステップＳ１９０で出力されたラベル作成指令中のテキストデータ（上記の例では「郡上ダム５ｋｍ」「高山城跡４５ｋｍ」「下呂公園１５ｋｍ」「○×レンタカー（株）」のテキストデータ）に対応した印字データを用いたラベル印刷を開始させる。
【００７９】
その後、ステップＳ４０で、上記ＣＰＵは、上記ステップＳ３０で開始した印字ヘッド２０５によるテープ２０３の印字領域へのラベル印刷がすべて完了しているかどうかを判定する。印刷がすべて完了するまでステップＳ４０の判定が満たされず（Ｓ４０：Ｎｏ）、ループ待機し、印刷がすべて完了したらステップＳ４０の判定が満たされて（Ｓ４０：Ｙｅｓ）、ステップＳ５０に移る。
【００８０】
ステップＳ５０では、上記ＣＰＵは、テープ２０３がさらに所定量（例えば印字領域のすべてがカッタ２０７を所定の長さ分越えるだけの搬送距離。いわゆる後余白用の搬送量）だけ搬送されたかどうかを判定する。所定量搬送されるまでステップＳ５０の判定が満たされず（Ｓ５０：Ｎｏ）、ループ待機し、所定量搬送されたらステップＳ５０の判定が満たされて（Ｓ５０：Ｙｅｓ）、ステップＳ６０に移る。
【００８１】
ステップＳ６０では、上記ＣＰＵは、搬送装置２０９に制御信号を出力し、ステップＳ２０で開始させたテープロール２０４からのテープ２０３の繰り出し、すなわちテープ２０３の搬送を停止させる。
【００８２】
そして、ステップＳ７０では、上記ＣＰＵは、表示部２１２に表示信号を出力し、カットレバー２１３を操作することによりテープ２０３を切断可能な状態である旨の表示を行わせる。その後、このフローに示す処理を終了する。上記表示に応じてユーザがカットレバー２１３を操作すると、カッタ２０７が作動してテープ２０３が切断される。このカッタ２０７による切断によって、テープ２０３から印字ヘッド２０５による印字が行われた部分が切り離されて、１つの上記印字ラベルＬとなる。
【００８３】
＜実施形態の効果＞
以上説明したように、本実施形態においては、カメラ１１１によって撮像した画像を画像データ化して保存する。その保存の際に、テキストデータを関連づけて保存することができる。すなわち、視野画像中に含まれる文字列が抽出されて対応するテキストデータが生成され、上記視野画像の実画像データが保存されるときに対応する文字列のテキストデータが関連づけられて保存される。そして保存された視野画像のサムネイル画像ＳＮ１〜ＳＮ５が一覧表示画面に表示されるとき、各サムネイル画像ＳＮ１〜ＳＮ５のみならず、そのサムネイルの内容に対応した（上記視野画像の撮影時に抽出されて表示されていた）文字列の仮想画像が重ねて表示される（図８、図９参照）。これより、ユーザは、サムネイル画像のみでは大きさが小さすぎて画像内容の識別が困難な場合であっても、文字列によって確実に画像内容を認識することができる。この結果、ユーザは、小さいサムネイル画像が複数個一覧表示される場合であっても、自分が見たい画像へ容易にアクセスし、拡大表示することができる（図１０参照。なお、拡大表示の際には当該文字列を表示しないようにしてもよい。）。また、例えば画像のプリントアウト時に（図１１参照）、上記文字列を手がかりに、ユーザが撮影当時の状況をより明確に思い出すことができる。以上の結果、ユーザにとっての利便性を向上することができる。
【００８４】
また、本実施形態では、特に、上記サムネイル画像ＳＮ１，ＳＮ３，ＳＮ５において、文字列の仮想画像は、少なくとも当該サムネイル画像ＳＮ１，ＳＮ３，ＳＮ５の半分の面積の領域から逸脱するフォントサイズとなるように拡大されて上記一覧表示画面に表示される（図８参照）。これにより、ユーザは、サムネイル画像のみでは大きさが小さすぎて画像内容の識別が困難な場合であっても、さらに確実に文字列によって画像内容を認識することができる。
【００８５】
また、本実施形態では、特に、上記サムネイル画像ＳＮ１〜ＳＮ５中において、上記文字列の仮想画像は、各サムネイル画像の略中央部に表示される。これにより、サムネイル画像ＳＮ１〜ＳＮ５中に、確実に見やすい状態で文字列を表示することができる。
【００８６】
また、本実施形態では、特に、サムネイル画像ＳＮ１〜ＳＮ５に対し拡大表示指示操作を行ったときに、その後に拡大して表示される視野画像１１２Ａの端部に、併せて対応する文字列の仮想画像ＢＬを表示することができる（図１０参照）。この結果、視野画像の拡大表示状態においても、その画像が表す内容を文字として表示することができる（特に、端部に文字を表示することで、画像本体の外観に影響を与えないようにすることができる）。また、視野画像１１２Ａを被印刷用紙に印刷（プリントアウト）したときに仮想画像ＢＬも組み込まれたままで印刷されることで、ユーザが撮影当時の状況をより明確に思い出すことができる。これらの結果、さらに利便性を向上することができる。
【００８７】
また、本実施形態では特に、前述の手法により、文字認識処理で抽出された文字列が印字形成された印字ラベルＬをラベル作成装置２０において作成することができる。この結果、例えば上記視野画像をプリントアウトしたとき、（仮に視野画像自体の中に文字列が表記されていなくても）、上記作成された印字ラベルＬを当該プリントアウトされた視野画像（図１３の印刷物Ｐ参照）に貼ることで、ユーザが撮影当時の状況をより明確に思い出し、長く覚えておくことができる（プリントアウト時に当時の状況を忘れている場合を含む）。これらの結果、さらに利便性を向上することができる。
【００８８】
このとき特に、図１２（ａ）及び図１２（ｂ）を用いて説明したように、撮影時における文字認識処理で複数の文字列が抽出され、かつ、タッチパネル１１２にはその抽出された文字列のうち一部の文字列しか表示されていなかった場合（図１２（ａ）の例では文字列「郡上ダム５ｋｍ」の仮想画像ＴＸのみ表示）であっても、それら複数の文字列すべてをそれぞれ印字形成した複数の印字ラベルＬ（図１２（ｂ）の例では「郡上ダム５ｋｍ」「高山城跡４５ｋｍ」「下呂公園１５ｋｍ」「○×レンタカー（株）」の４つの印字ラベルＬ）をラベル作成装置２０において作成することができる。
【００８９】
なお、本発明は、上記実施形態に限られるものではなく、その趣旨及び技術的思想を逸脱しない範囲内で種々の変形が可能である。以下、そのような変形例を説明する。
【００９０】
＜変形例＞
次に、本発明を、社員証ラベルの作成に応用した変形例を、図１６〜図２３に基づき詳細に説明する。本変形例は、いわゆるデータベース印刷により、上記社員証ラベルとしての印字ラベル（以下適宜、「社員証ラベル」と称する）Ｌを作成する。その際に用いられるデータベースの構築において、上記実施形態において説明した画像処理の手法を適用する（詳細は後述）。
【００９１】
本変形例におけるラベル作成装置２０の機能的構成を、上記図４に対応する図１６に示す。図１６に示すラベル作成装置２０では、上記記憶装置２０１に、複数のフィールドに対し文字列（１文字も含む）をそれぞれ割り当てたレコードを少なくとも１つ含むデータベース３０（後述の図２０参照）が記憶される、データベース記憶部２０１１が設けられている。本変形例では、操作端末１０側において上記手法と同様の処理によりテキストデータと関連づけられたサムネイル画像が、通信制御部１０８を介して送信され、ラベル作成装置２０において通信制御部２０８を介して受信されて、データベース３０のレコードが構築されるようになっている。
【００９２】
＜社員の撮影＞
本変形例では、まず、図１７に示すように、一人の社員Ｑが、例えば社員証ラベルＬの作成のために事前に各社員に割り当てられたＩＤナンバー「１」、自分の氏名「石田○一」、及び電話番号「０９０−１１１−１２３４」の各文字列が記載されているボードＢを掲げた状態で、操作端末１０のカメラ１１１により撮影される。すなわち、社員Ｑ及びボードＢを含む視野が前述した「所定の視野」となる。
【００９３】
上記の撮影の後、操作端末１０では、前述の図５と同様、図１８に示すように、上記所定の視野に対応した視野画像のうち、タッチパネル１１２に表示されたボードＢの画像の中から、ＩＤナンバー「１」、氏名「石田○一」、電話番号「０９０−１１１−１２３４」の各文字列を自動的に抽出し、取得する。
【００９４】
そして、前述と同様、上記のようにして抽出された文字列「１」「石田○一」「０９０−１１１−１２３４」の仮想画像のうち少なくともいずれか１つが上記視野画像中に重ねて表示された状態（図示省略）で前述の保存指示操作が行われることで、上記視野画像が、表示されていた文字列のテキストデータと関連づけられて、保存される。そして前述と同様の一覧表示指示操作が行われることで、上記図８に対応する図１９に示すように、タッチパネル１１２において、上記のようにして保存した視野画像に対応するサムネイル画像（この例では上記を含めた３名の社員Ｑに対し撮像が行われた場合で、サムネイル画像ＳＮ１０１〜ＳＮ１０３の３つ）が表示される。その際、各サムネイル画像ＳＮ１０１〜ＳＮ１０３中には、前述と同様にして各サムネイル画像にそれぞれ関連づけられた文字列が、重畳して表示される。
【００９５】
すなわち、図１９において、上記社員Ｑ（石田○一さん）の撮像結果に対応したサムネイル画像ＳＮ１０１（ファイル名は「Ｉｍａｇｅ００１．ｊｐｇ」）では、その幅方向略中央部に、石田さんの上記ＩＤナンバーを表す「１」、氏名を表す「石田○一」、電話番号を表す「０９０−１１１−１２３４」の文字列が重畳して表示される。
【００９６】
また、石田○一さんとは別の社員Ｑ（山田×子さん）の撮像結果に対応したサムネイル画像ＳＮ１０２（ファイル名は「Ｉｍａｇｅ００２．ｊｐｇ」）では、その幅方向略中央部に、山田さんの上記ＩＤナンバーを表す「２」、氏名を表す「山田×子」、電話番号を表す「０９０−２２２−３４５６」の文字列が重畳して表示される。
【００９７】
また、さらに別の社員Ｑ（岩田△男さん）の撮像結果に対応したサムネイル画像ＳＮ１０３（ファイル名は「Ｉｍａｇｅ００３．ｊｐｇ」）では、その幅方向略中央部に、岩田さんの上記ＩＤナンバーを表す「３」、氏名を表す「岩田△男」、電話番号を表す「０９０−３３３−５６７８」の文字列が重畳して表示される。
【００９８】
＜データベース＞
上記のように各社員に対する撮像結果に対して前述の保存指示操作が行われたことを契機に、上記した各社員を含む視野画像とこれに関連づけられた文字列テキストデータとが、前述のようにラベル作成装置２０の記憶装置２０１へ送信され、これによって記憶装置２０１内に上記データベース３０が構築される。図２０に、このようにして構築されたデータベース３０の一例を示す。
【００９９】
図２０において、このデータベース３０では、前述の例に沿い、横１行のデータ群を１つのレコードとして、各レコードに、上記ＩＤナンバーを表す文字列を割り当てたＩＤフィールド３１（図中単に「ＩＤ」と表記）、上記氏名を表す文字列を割り当てた氏名フィールド３２（図中「Ｎａｍｅ」と表記）、上記電話番号を表す文字列を割り当てた電話番号フィールド３３（図中「Ｔｅｌ」と表記）、及び、各社員及びボードＢの外観を含む上記視野画像のファイル名を割り当てた視野画像フィールド３４が（図中「ｐｉｃｔｕｒｅ」と表記）含まれている。
【０１００】
例えば、上記石田○一さんに対応する上記データベース３０の１行目のレコードでは、ＩＤフィールド３１にＩＤナンバーを表す文字列として「１」、氏名フィールド３２に氏名を表す文字列として「石田○一」、電話番号フィールド３３に電話番号を表す文字列として「０９０−１１１−１２３４」、視野画像フィールド３４にファイル名を表す文字列として「ｉｍａｇｅ１０１」が、それぞれ割り当てられている。
【０１０１】
同様に、上記山田×子さんに対応する２行目のレコードでは、ＩＤフィールド３１にＩＤナンバーを表す文字列として「２」、氏名フィールド３２に氏名を表す文字列として「山田×子」、電話番号フィールド３３に電話番号を表す文字列として「０９０−２２２−３４５６」、視野画像フィールド３４にファイル名を表す文字列として「ｉｍａｇｅ１０２」が、それぞれ割り当てられている。
【０１０２】
同様に、３行目のレコードでは、ＩＤフィールド３１にＩＤナンバーを表す文字列として「３」、氏名フィールド３２に氏名を表す文字列として「岩田△男」、電話番号フィールド３３に電話番号を表す文字列として「０９０−３３３−５６７８」、視野画像フィールド３４にファイル名を表す文字列として「ｉｍａｇｅ１０３」が、それぞれ割り当てられている。
【０１０３】
図１６に戻り、記憶装置２０１にはまた、上記データベース印刷の際に用いられるテンプレートＴ（後述の図２１参照）が記憶される、テンプレート記憶部２０１２が設けられている。このテンプレートＴは、上記データベース３０の各レコードにおいて複数のフィールドにそれぞれ振り分けられた少なくとも１つ（上記の例では複数）の文字列を、所定の態様で割り付けるためのものであり、例えば、予め操作端末１０からラベル作成装置２０へ送られ、テンプレート記憶部２０１２に記憶されている。
【０１０４】
＜テンプレート＞
図２１に、上記テンプレートＴの一例を示す。図２１において、テンプレートＴは、上記図２０に示すデータベース３０の各レコードにおいて４つのフィールド３１〜３４にそれぞれ振り分けられた４つの文字列を所定の態様で割り付けるためのものである。
【０１０５】
このテンプレートＴでは、固定文字列「ＩＤ．」が中央上部に配置されると共に、４つのオブジェクトＦ１，Ｆ２，Ｆ３，Ｆ４が所定の態様で割り付けられる。なお、オブジェクトは複数個に限られず、１つだけ設けられていても良い。
【０１０６】
オブジェクトＦ１は、上記図２０に示すデータベース３０の各レコードにおいてＩＤフィールド３１に割り当てられたＩＤナンバーの文字列に対応するオブジェクトであり、上記固定文字列「ＩＤ．」の後に続くように当該固定文字列「ＩＤ．」の右側に配置されている。
【０１０７】
オブジェクトＦ２は、上記図２０に示すデータベース３０の各レコードにおいて氏名フィールド３２に割り当てられた氏名を表す文字列に対応するオブジェクトであり、上記固定文字列「ＩＤ．」及びオブジェクトＦ１の下側に配置されている。
【０１０８】
オブジェクトＦ３は、上記図２０に示すデータベース３０の各レコードにおいて電話番号フィールド３３に割り当てられた電話番号を表す文字列に対応するオブジェクトであり、上記オブジェクトＦ２の下側に配置されている。
【０１０９】
オブジェクトＦ４は、上記図２０に示すデータベース３０の各レコードにおいて視野画像フィールド３４に割り当てられた視野画像データに対応するオブジェクトであり、上記３つのオブジェクトＦ１，Ｆ２，Ｆ３の左側に配置されている。
【０１１０】
上記ラベル作成装置２０は、本変形例では、テンプレートＴの上記オブジェクトＦ１，Ｆ２，Ｆ３，Ｆ４に割り当てられる文字列及び顔画像データの内容を、上記データベース３０のレコードにより指定する上記データベース印刷を行う。すなわち、例えばユーザにより操作端末１０の上記操作部１１０等が操作されて、上記データベース３０の少なくとも１つのレコードを指定する印刷指示が行われると、当該少なくとも１つのレコードを指定した印刷指示信号が、操作端末１０から通信制御部１０８を介して送信され、ラベル作成装置２０において通信制御部２０８を介して受信される。
【０１１１】
すると、搬送装置２０９及びサーマルヘッド２０５等が連携して制御され、上記受信された印刷指示信号により指定されたデータベース３０の各レコードごとに、複数のフィールドにそれぞれ振り分けられた複数の文字列（後述の図２２のＦＬ１〜ＦＬ４）が上記テンプレートＴに沿って（詳細には上記オブジェクトＦ１，Ｆ２，Ｆ３，Ｆ４内に）割り付けられることで、対応する１つの社員証ラベルＬが作成される。
【０１１２】
＜社員証ラベルの作成例＞
上記データベース３０による社員証ラベルＬの作成例として、例えば、ラベル作成装置２０において通信制御部２０８を介して上記図２０に示すデータベース３０の１〜３行目のレコードを指定する印刷指示信号が受信された場合の例を、以下に説明する。
【０１１３】
図２２に、上記データベース３０の各レコードに対応した社員証ラベルＬの一例を示す。図示のように、この社員証ラベルＬは、上記石田○一さんのものであり、前述のＩＤフィールド３１に割り当てられた「１」、氏名フィールド３２に割り当てられた「石田○一」、電話番号フィールド３３に割り当てられた「０９０−１１１−１２３４」、視野画像フィールド３４に割り当てられた視野画像データ、が上記テンプレートＴの上記オブジェクトＦ１，Ｆ２，Ｆ３，Ｆ４にそれぞれ割り付けられ、「１」の文字列ＦＬ１、「石田○一」の文字列ＦＬ２、「０９０−１１１−１２３４」の文字列ＦＬ３、視野画像ＦＬ４が印刷されている。
【０１１４】
＜制御手順＞
次に、上記手法を実現するためにラベル作成装置２０の制御回路２０２の上記ＣＰＵが実行する制御手順を、図２３を用いて説明する。
【０１１５】
図２３において、まず、ステップＳ３１０で、上記ＣＰＵは、ユーザにより、操作端末２側の上記操作部１１０等を介し、上記データベース３０を構築する操作（例えば、各社員Ｑの視野画像及びテキストデータをまとめてラベル作成装置２０へ送信する操作、あるいは、それらを送信後の適宜の操作）が行われたか否かを判定する。なお、この操作はラベル作成装置２０の操作部２１０から行っても良い。上記データベース構築操作が行われない場合は、ステップＳ３１０の判定は満たされず（Ｓ３１０：ＮＯ）ループ待機し、上記データベース操作が行われた場合には、ステップＳ３１０の判定が満たされて（Ｓ３１０：ＹＥＳ）、ステップＳ３２０に移る。
【０１１６】
ステップＳ３２０では、上記ＣＰＵは、操作端末１０から通信制御部１０８を介して送信された、上記各社員Ｑの視野画像及びテキストデータを、通信制御部２０８を介して受信する。そして、それらを上記各フィールド（ＩＤフィールド３１、氏名フィールド３２、電話番号フィールド３３、及び、視野画像フィールド３４）にそれぞれ分配して記憶することで、上記データベース記憶部２０１１に上記データベース３０を構築する。
【０１１７】
その後、ステップＳ３３０で、上記ＣＰＵは、ユーザにより、上記操作部１１０等を介し、上記テンプレートＴを受信する操作が行われたか否かを判定する。なお、この操作はラベル作成装置１０の上記操作部２１０から行っても良い。上記テンプレート受信操作が行われなかった場合には、ステップＳ３３０の判定は満たされず（Ｓ３３０：ＮＯ）ループ待機し、上記テンプレート受信操作が行われた場合には、ステップＳ３３０の判定が満たされて（Ｓ３３０：ＹＥＳ）、ステップＳ３４０に移る。
【０１１８】
ステップＳ３４０では、上記ＣＰＵは、操作端末１０から通信制御部１０８介して送信されたテンプレートＴを、通信制御部２０８を介して受信し、記憶装置２０１のテンプレート記憶部２０１２に記憶させる。その後、ステップＳ３７０に移る。
【０１１９】
なお、上記ステップＳ３１０及びステップＳ３２０と、上記ステップＳ３３０及びステップＳ３４０とを入れ替え、上記ステップＳ３３０及びステップＳ３４０を実行した後に、上記ステップＳ３１０及びステップＳ３２０を実行するようにしてもよい。
【０１２０】
ステップＳ３７０では、上記ＣＰＵは、操作端末１０から通信制御部１０８を介して送信された、前述のデータベース印刷を指示する上記印刷指示信号（印刷対象となるレコードの指定とそのとき用いるテンプレートの指定とを含む）を、通信制御部２０８を介して受信したか否かを判定する。印刷指示信号を受信していない場合には、ステップＳ３７０の判定は満たされず（Ｓ３７０：ＮＯ）、上記ステップＳ３１０に戻り同様の手順を繰り返す。一方、印刷指示信号を受信した場合には、ステップＳ３７０の判定が満たされて（Ｓ３７０：ＹＥＳ）、ステップＳ３８０に移る。
【０１２１】
ステップＳ３８０では、制御回路２０２は、印刷対象とする各レコードに含まれる文字列及び画像を、上記ステップＳ３７０で受信された印刷指示信号が指定する上記テンプレートＴの各オブジェクト（この例ではオブジェクトＦ１〜Ｆ４）内にそれぞれ割り付けた、印字データを生成する。その後、後述のステップＳ３９０に移る。
【０１２２】
ステップＳ３９０では、制御回路２０２は、上記ステップＳ３８０で生成された印字データを用いて、上記ステップＳ３７０で受信された印刷指示信号が指定する上記データベース３０の各レコードごとに１つの社員証ラベルＬを作成するように、搬送装置２０９及びサーマルヘッド２０５等を連携して制御する、ラベル作成処理を実行する。これにより、このフローに示す処理が終了する。
【０１２３】
上記ステップＳ３００のラベル作成処理の手順においては、図１５と同様、制御回路２０２の上記ＣＰＵは、テープ２０３の搬送開始後、印字開始位置に達したらサーマルヘッド２０５に、テープ２０３への、上記ステップＳ３８０で生成された印字データを用いたラベル印刷を開始させる。そして、テープ２０３の搬送方向位置が印字終了位置に達したら、ＣＰＵは、サーマルヘッド２０５によるテープ２０３への印刷を終了させる。その後、ＣＰＵは、テープ２０３の搬送方向位置がテープ切断位置に達したらテープ２０３の搬送を停止させ、テープ２０３を切断可能な状態である旨の表示を行わせる。これにより、ユーザがカットレバー２１３を操作することでカッタ２０７が作動し、上記ステップＳ３８０で生成した印字データに対応した印字がなされた社員証ラベルＬ（上記図２２参照）が生成される。
【０１２４】
本変形例においても、上記実施形態と同様の効果を得る。
【０１２５】
なお、図３、図４、図１６等の図中に示す矢印は信号の流れの一例を示すものであり、信号の流れ方向を限定するものではない。
【０１２６】
また、図１４、図１５、図２３等に示すフローチャートは本発明を上記フローに示す手順に限定するものではなく、発明の趣旨及び技術的思想を逸脱しない範囲内で手順の追加・削除又は順番の変更等をしてもよい。
【０１２７】
また、以上既に述べた以外にも、上記実施形態や各変形例による手法を適宜組み合わせて利用しても良い。
【０１２８】
その他、一々例示はしないが、本発明は、その趣旨を逸脱しない範囲内において、種々の変更が加えられて実施されるものである。
【符号の説明】
【０１２９】
１０              操作端末（携帯端末）
２０              ラベル作成装置
１０２            制御回路（演算手段）
１１０            操作ボタン（操作手段）
１１１            カメラ（撮像手段）
１１２            タッチパネル（操作手段、表示手段）
Ｋ                車両
Ｌ                印字ラベル
Ｍ１〜Ｍ３        標識
Ｍ４              広告
ＰＯ              ポール
ＳＮ１〜ＳＮ５    サムネイル画像
【図１】
2018054764.tif 000003
【図２】
2018054764.tif 000004
【図３】
2018054764.tif 000005
【図４】
2018054764.tif 000006
【図５】
2018054764.tif 000007
【図６】
2018054764.tif 000008
【図７】
2018054764.tif 000009
【図８】
2018054764.tif 000010
【図９】
2018054764.tif 000011
【図１０】
2018054764.tif 000012
【図１１】
2018054764.tif 000013
【図１２】
2018054764.tif 000014
【図１３】
2018054764.tif 000015
【図１４】
2018054764.tif 000016
【図１５】
2018054764.tif 000017
【図１６】
2018054764.tif 000018
【図１７】
2018054764.tif 000019
【図１８】
2018054764.tif 000020
【図１９】
2018054764.tif 000021
【図２０】
2018054764.tif 000022
【図２１】
2018054764.tif 000023
【図２２】
2018054764.tif 000024
【図２３】
2018054764.tif 000025